【手続補正書】
【提出日】平成19年3月12日(2007.3.12)
【手続補正１】
【補正対象書類名】明細書
【補正対象項目名】特許請求の範囲
【補正方法】変更
【補正の内容】
【特許請求の範囲】
【請求項１】  患者についての個人用医療プロフィールを生成する方法であって、
一組の所定の包含規準に基づいて、医療データベースに包含する医療文献を選択する工程と、
該選択された医療文献中の研究から該医療データベースに追加するデータを抽出する工程であって、各研究について抽出された該データが、１つ以上の入力パラメータ、１つ以上の出力パラメータ、および１つ以上のアルゴリズムを含む、工程と、
各研究から抽出された１つ以上の入力パラメータを含む１組の入力パラメータ、各研究から抽出された１つ以上の出力パラメータを含む１組の出力パラメータ、および各研究から抽出された１つ以上のアルゴリズムを含む１組のアルゴリズをコンパイルする工程と、
患者から情報を収集して、該１組の入力パラメータのサブセットについての値を提供する工程と、
該入力パラメータのサブセットと該医療データベース中の各研究についての該１つ以上の入力パラメータとのマッチングを行って、一組の適用可能な研究を生成する工程と、
該入力パラメータのサブセットの該値に関する該適用可能な研究に対応する該１組のアルゴリズムの第一のサブセットを使用して、該適用可能な研究に対応する該１組の出力パラメータのサブセットについての値を生成する工程と、
該出力パラメータのサブセットの該値に基づいて、個人用医療プロフィールを生成する工程と
を包含する方法。
【請求項２】  前記医療データベースに治療および治療指示に関するデータを付加する工程と、
前記出力パラメータのサブセットの値を使用して、どの治療指示が適合するかを判定する工程と、
各治療指示が適合したかどうかを示すマークと共に、各治療についての該治療指示が列挙される治療指示レポートを生成する工程とをさらに含み、
前記個人用医療プロフィールを生成する工程は、前記個人用医療プロフィール中に該治療指示レポートを包含させる工程をさらに含む、
請求項１に記載の方法。
【請求項３】  組合せ分析を前記出力パラメータのサブセットの値に適用して、１組の組み合わされたスーパーカテゴリ値を生成する工程をさらに包含し、
該出力パラメータのサブセットの値を使用して、どの治療指示が適合するかを判定する工程は、該１組の組み合わされたスーパーカテゴリ値を使用して、どの治療指示が適合するかを判定する工程を含む、
請求項２に記載の方法。
【請求項４】  前記出力パラメータのサブセットの値を使用して、どの治療指示が適合するかを判定する工程は、前記入力パラメータのサブセットの値を使用して、どの治療指示が適合するかを判定する工程をさらに包含する、請求項３に記載の方法。
【請求項５】  治療および治療指示に関するデータを前記医療データベースに追加する工程は、命令を各指示についての該医療データベースに追加する工程を包含し、該命令は該治療指示が適合するかどうかを判定する、請求項２に記載の方法。
【請求項６】  前記出力パラメータのサブセットの値を使用して、どの治療指示が適合するかを判定する工程は、各治療指示についての前記命令を使用してどの治療指示が適合するかを判定する、工程をさらに包含する、請求項５に記載の方法。
【請求項７】  各治療についての結果情報を生成する工程と、前記個人用医療プロフィール中に該結果情報を包含させる工程とをさらに包含する、請求項２に記載の方法。
【請求項８】  各治療についての結果情報を生成する工程は、各治療についての結果スコアを生成する工程を包含する、請求項７に記載の方法。
【請求項９】  各治療についての結果情報を生成する工程は、
前記医療データベース中のどの研究が治療の前記結果に適用可能かを判定する工程と、
該治療の該結果に適用可能な研究に対応する前記１組のアルゴリズムの第２のサブセットを使用して、該治療結果を示す出力値を生成する工程とを包含する、請求項７に記載の方法。
【請求項１０】  前記結果情報が、前記医療データベース中の個人用患者出力データセット中に格納される、請求項７に記載の方法。
【請求項１１】  どの治療指示が適合したかに関する情報が、前記医療データベース中の個人用患者出力データセット中に格納される、請求項２に記載の方法。
【請求項１２】  前記出力パラメータのサブセットの値が、前記医療データベース中の個人用患者出力データセット中に格納される、請求項１に記載の方法。
【請求項１３】  前記アルゴリズムの第一のサブセットは、前記入力パラメータのサブセットの値を前記出力パラメータのサブセットの値にマッピングする計算またはテーブルを包含する、請求項１に記載の方法。
【請求項１４】  前記テーブルは、随意選択的にニューラルネットワークを表す、請求項１３に記載の方法。
【請求項１５】  前記入力パラメータのサブセットと各研究についての前記１つ以上の入力パラメータとのマッチングを行う工程は、
マッチしない研究のリストをコンパイルする工程であって、該リストは、該入力パラメータのサブセットが各研究の該１つ以上の入力パラメータとマッチしない各研究を含む、工程と、
該マッチしない研究のリストを使用して、見つからないデータレポートを生成する工程と、をさらに包含する、請求項１に記載の方法。
【請求項１６】  前記方法は、組合せ分析を前記出力パラメータのサブセットの値に適用して、１組の組み合わされたスーパーカテゴリ値を生成する工程を、さらに包含する、請求項１に記載の方法。
【請求項１７】  前記組合せ分析は、メタ分析、平均化、ファジイ論理、ファジイ集合、およびインタラクティブ組合せ技術から成る集合から選択された技術を包含する、請求項１６に記載の方法。
【請求項１８】  各研究について抽出されたデータは、統計的情報を含み、該統計的情報を使用して、どの組合せ分析技術が適用されるかを判定する、請求項１７に記載の方法。
【請求項１９】  前記患者から情報を収集する工程は、
前記１組の入力パラメータから、複数の入力パラメータについての入力フィールドを有する入力フォームを生成する工程と、
該患者によって該入力フィードに入力された値から、該複数の入力パラメータについての値を抽出する工程と、を包含する請求項１に記載の方法。
【請求項２０】  前記医療データベース中の各前記１組の入力パラメータは、前記入力パラメータを表示するための表示コードを含み、前記入力フォームを生成する工程は、前記フォーム中の前記複数の入力パラメータの各々についての該表示コードを実行する工程を包含する、請求項１９に記載の方法。
【請求項２１】  前記医療データベース中の前記１組の入力パラメータの各々は、前記入力パラメータを確認するための確認コードを含み、前記患者によって入力されたデータから、前記入力パラメータのサブセットについての値を抽出する工程は、該患者によって入力された各値についての該確認コードを実行する工程を、包含する請求項１９に記載の方法。
【請求項２２】  前記１組の入力パラメータの各々は、前記入力パラメータが出現する必要のあるフォームについての識別子を含む、請求項１９に記載の方法。
【請求項２３】  前記医療データベースに包含させる医療文献を選択する工程は、
該医療文献を複数のレビュー者を含むレビューボードに提供する工程と、
前記所定の包含規準に基づいて、各レビュー者が該医療文献中の各研究にスコアを割り当てる工程と、
該レビュー者によって割り当てられた該スコアに基づいて、前記医療データベース中に、どの研究が含まれる必要があるかを判定する工程と、
をさらに包含する、請求項１に記載の方法。
【請求項２４】  どの研究が含まれる必要があるかを判定する工程は、前記研究の各々についての平均スコアを計算する工程と、該平均スコアが所定のしきい値を超える研究を含む工程とを包含する、請求項２３に記載の方法。
【請求項２５】  前記所定の包含規準は、前記研究の目的と、研究人口と、該研究に使用される方法の記載と、該研究の結果と、該研究の統計的重要性と、計算またはテーブルの形式で該研究の結果を要約する能力とに基づいた１つ以上の規準を包含する、請求項１に記載の方法。
【請求項２６】  各研究のために抽出された前記データは、引用情報、患者が読みやすい要約、統計的情報、および前記研究人口に関する情報をさらに包含する、請求項１に記載の方法。
【請求項２７】  医療データベースを格納するディジタル格納メディアであって、該データベースは、選択された医療文献に関する情報を含む文献データセットを包含し、該文献データセットは、
該選択された医療文献から抽出された研究に関する情報を含む研究テーブルであって、該研究テーブルは、複数の研究レコードを格納し、各研究レコードは、研究に関する情報を含む複数のフィールドを包含する、研究テーブルと、
複数の入力パラメータレコードを格納する入力パラメータテーブルであって、各入力パラメータレコードは、入力パラメータに関する情報を含む複数のフィールドを包含する、入力パラメータテーブルと、
複数の出力パラメータレコードを格納する出力パラメータテーブルであって、各出力パラメータレコードは、出力パラメータに関する情報を含む複数のフィールドを包含する、出力パラメータテーブルと
を含むディジタル格納メディア。
【請求項２８】  各研究レコードの前記フィールドは、
研究に関連する入力パラメータについての前記入力パラメータテーブル中のレコードの識別子を含む入力パラメータフィールドと、
該研究に関連する出力パラメータについての前記出力パラメータテーブル中のレコードの識別子を含む出力パラメータフィールドと、
該研究に関連する該入力パラメータの値を、該研究に関連する該出力パラメータの値にマッピングする、該研究からのアルゴリズムを含むアルゴリズムフィールドとを包含する、請求項２７に記載の前記ディジタル格納メディア。
【請求項２９】  前記アルゴリズムフィールドは、計算フィールドを包含し、該計算フィールドは、入力パラメータの値を出力パラメータの値にマッピングする計算またはテーブルを含む、請求項２８に記載の前記ディジタル格納メディア。
【請求項３０】  前記計算フィールド中のテーブルは、ニューラルネットワークを表す、請求項２９に記載の前記ディジタル格納メディア。
【請求項３１】  前記各研究レコードのフィールドは、
著者、表題、出版日付、および前記研究が掲載された雑誌などの引用情報を格納する引用情報フィールドと、
該研究についての要約を含む要約フィールドと、
をさらに包含する、請求項２７に記載のディジタル格納メディア。
【請求項３２】  各研究レコードの前記フィールドは、前記研究に関する統計的情報を含む統計的情報フィールド、前記研究人口の規模に関する情報を格納する研究人口フィールド、該研究の出力機能を識別する出力カテゴリフィールド、および該研究人口に適用された治療を識別する治療カテゴリフィールドのうち１つ以上をさらに包含する、請求項２８に記載の前記ディジタル格納メディア。
【請求項３３】  各入力パラメータレコードの前記フィールドは、前記入力パラメータの名前を含む名前フィールドと、該入力パラメータの記述子を含む記述子フィールドとを包含する、請求項２７に記載の前記ディジタル格納メディア。
【請求項３４】  各入力パラメータレコードの前記フィールドは、
表示コードが実行される場合に前記入力パラメータを表示する該表示コードを含む表示コードフィールドと、
確認コードが実行される場合に該入力パラメータについての値が有効であるかを調べるための、チェックを確認する確認コードを含む確認コードフィールドと、を包含する、
請求項２７に記載の前記ディジタル格納メディア。
【請求項３５】  各入力パラメータレコードの前記フィールドは、前記入力パラメータが現れる必要のある入力フォームを識別するフォームＩＤフィールドを包含する、請求項２７に記載の前記ディジタル格納メディア。
【請求項３６】  各出力パラメータレコードの前記フィールドは、前記出力パラメータの名前を含む名前フィールドと、該出力パラメータの記述子を含む記述子フィールドとを包含する、請求項２７に記載の前記ディジタル格納メディア。
【請求項３７】  各出力パラメータレコードの前記フィールドは、スーパーカテゴリフィールドを包含し、該スーパーカテゴリフィールドは、前記出力パラメータの値が組み合わされる該スーパーカテゴリの識別子を含む、請求項２７に記載の前記ディジタル格納メディア。
【請求項３８】  前記医療データベースは、治療についての指示に関する情報を含む治療指示テーブルをさらに包含し、該治療指示テーブルは、複数の指示レコードを格納し、各指示レコードは、治療についての指示に関する情報を含む複数のフィールドを包含する、請求項２７に記載の前記ディジタル格納メディア。
【請求項３９】  各指示レコードの前記フィールドは、前記指示が関連する前記治療を識別する治療ＩＤフィールド、適合すべき該指示について満足される必要のある命令を含む命令フィールド、および該指示の記述子を含む記述子フィールドのうち１つ以上を包含する、請求項３８に記載の前記ディジタル格納メディア。
【請求項４０】  前記医療データベースは、患者によって入力された入力パラメータの値を格納する患者入力データセットをさらに包含する、請求項２７に記載の前記ディジタル格納メディア。
【請求項４１】  前記医療データベースは、患者によって提供された情報に基づいて計算された、出力パラメータの値およびスーパーカテゴリの値を格納する患者出力データセットをさらに包含する、請求項２７に記載の前記ディジタル格納メディア。
【請求項４２】  患者についての個人用医療プロフィールを生成するためのコンピュータシステムであって、該コンピュータシステムは、一連のプログラムされたルーチンを格納するサーバを含み、該コンピュータシステムは、
医療文献から抽出された研究に関する情報を含む医療データベースであって、該情報が、１組の入力パラメータ、１組の出力パラメータ、および１組のアルゴリズムを包含し、各研究は、１つ以上の入力パラメータ、１つ以上の出力パラメータ、および１つ以上のアルゴリズムを有する、医療データベースと、
患者から情報を収集して、該１組の入力パラメータのサブセットに値を提供するデータ収集ルーチンと、
該患者から収集された値についての該入力パラメータのサブセットと、該１組の入力パラメータとのマッチングを行って、１組の適用可能な研究を生成するマッチングルーチンと、
該入力パラメータのサブセットの値に、該適用可能な研究からのアルゴリズムを使用して、該１組の出力パラメータのサブセットについての値を生成する、計算ルーチンと、
該出力パラメータのサブセットの値に基づいて、個人用医療プロフィールを生成する出力ルーチンと、
をさらに包含するコンピュータシステム。
【請求項４３】  前記医療データベースは、該医療データベースからの治療および治療指示に関するデータをさらに包含し、前記コンピュータシステムは、
前記出力パラメータの値を使用して、どの治療指示が適合するかを判定し、各治療指示が適合したかどうかを示すマークと共に、各治療についての該治療指示が列挙された治療指示レポートを生成する治療ルーチンを、さらに包含する、
請求項４２に記載のコンピュータシステム。
【請求項４４】  前記治療ルーチンは、組合せ分析を前記出力パラメータのサブセットの値に適用して、１組の組み合わされたスーパーカテゴリの値を生成し、該１組の組み合わされたスーパーカテゴリ値を使用して、どの治療指示が適合するかを判定する、請求項４３に記載のコンピュータシステム。
【請求項４５】  前記治療ルーチンは、前記入力パラメータのサブセットの値を使用して、どの治療指示が適合するかを判定する、請求項４３に記載のコンピュータシステム。
【請求項４６】  前記医療データベースは、各治療指示についての命令を格納し、前記治療ルーチンは、該命令を使用して、該治療指示が適合するかどうかを判定する、請求項４３に記載のコンピュータシステム。
【請求項４７】  前記コンピュータシステムは、各治療についての結果情報を生成する結果ルーチンをさらに包含し、前記出力ルーチンは、前記個人用医療プロフィール中の該結果情報を含む、請求項４３に記載のコンピュータシステム。
【請求項４８】  前記結果ルーチンは、前記医療データベース中のどの研究が治療の結果に適用可能かを判定し、該治療の結果に適用可能な研究からのアルゴリズムを使用して、該治療の結果を指示する出力値を生成する、請求項４７に記載のコンピュータシステム。
【請求項４９】  前記アルゴリズムは、入力パラメータの値を出力パラメータの値にマッピングする計算またはテーブルを包含する、請求項４８に記載のコンピュータシステム。
【請求項５０】  前記テーブルは、随意選択的にニューラルネットワークを表す、請求項４９に記載のコンピュータシステム。
【請求項５１】  前記コンピュータシステムは、
マッチしない研究のリストをコンパイルするルーチンであって、該リストは、前記患者から収集された前記情報が、前記研究の各々の１つ以上の前記入力パラメータにマッチしない全ての研究を含み、該マッチしない研究のリストを使用して、見つからないデータレポートを生成するルーチンをさらに包含する、請求項４２に記載のコンピュータシステム。
【請求項５２】  前記計算ルーチンは、組合せ分析を前記出力パラメータのサブセットの値に適用して、１組の組み合わされたスーパーカテゴリの値を生成する組合せルーチンをさらに包含する、請求項４２に記載のコンピュータシステム。
【請求項５３】  前記組合せルーチンは、メタ分析、平均化、ファジイ論理、ファジイ集合、およびインタラクティブ組合せ技術から成る集合から選択された技術を使用して、組合せ分析を実行する、請求項５２に記載のコンピュータシステム。
【請求項５４】  前記組合せルーチンは、前記医療データベースから研究に関する統計的情報にアクセスし、該統計的情報を使用して、どの組合せ分析技術を適用すべきかを判定する、請求項５２に記載のコンピュータシステム。
【請求項５５】  前記データ収集ルーチンは、複数の入力パラメータについての入力フィールドを有する入力フォームを生成し、前記患者によって該入力フィールドに入力された値から該複数の入力パラメータについての値を抽出する、請求項４２に記載のコンピュータシステム。
【請求項５６】  前記医療データベース中の前記１組の入力パラメータの各々は、該入力パラメータを表示するための表示コードを含み、前記データ収集ルーチンは、前記フォーム中の前記複数の入力パラメータの各々についての表示コードを実行することにより前記入力フォームを生成する、請求項５５に記載のコンピュータシステム。
【請求項５７】  前記医療データベース中の前記１組の入力パラメータの各々は、該入力パラメータを確認するための確認コードを含み、前記データ収集ルーチンは、前記患者によって入力された各値についての確認コードを実行することにより、該患者によって入力されたデータから前記複数の入力パラメータについての値を抽出する、請求項５５に記載のコンピュータシステム。
【請求項５８】  前記１組の入力パラメータの各々は、該入力パラメータを表示する必要のあるフォームについての識別子を含む、請求項５５に記載のコンピュータシステム。
【請求項５９】  前記医療データベースを作成するために使用された前記医療文献に戻るリンクを提供する工程をさらに包含する、請求項１に記載の方法。
【請求項６０】  前記医療データベースを作成するために使用された前記医療文献に戻るリンクをさらに含む、請求項２７に記載のディジタル格納メディア。
【請求項６１】  前記医療データベースを作成するために使用された前記医療文献に戻るリンクをさらに含む、請求項４２に記載のコンピュータシステム。